(57)【特許請求の範囲】
【請求項１】
表示画面上における矩形領域の大きさ及び位置を指定する第１のデータと該矩形領域の周辺部の階調変化を横方向及び縦方向に等方的に指定する第２のデータとを格納するメモリと、
該メモリに格納される該第１のデータと該第２のデータとに基づいて画像データの階調を調整する画像処理部
を含み、
該第１のデータは、該矩形領域の１つのコーナーを指定するデータと、該矩形領域の該１つのコーナーと対向するコーナーを指定するデータを含み、
前記画像処理部は、所定の階調範囲の中間調について均一の値であり前記範囲から離れるに従い減少する第１の補正値と前記矩形領域内では均一の値であり前記周辺部において徐々に減少する第２の補正値との積を、入力階調値に加算することを特徴とする表示補正回路。
【請求項２】
該１つのコーナーと該対向するコーナーとを同一点として該第１のデータを指定可能であることを特徴とする請求項１記載の表示補正回路。
【請求項３】
該第２のデータは該周辺部の幅を指定するデータであり、該画像処理部は該幅を有する該周辺部の内部において該画像データの階調を該横方向及び該縦方向に直線的に変化させることを特徴とする請求項１記載の表示補正回路。
【請求項４】
該第２のデータは該周辺部の幅を指定するデータ及びルックアップテーブルであり、該画像処理部は該幅を有する該周辺部の内部において該画像データの階調を該ルックアップテーブルに従い該横方向及び該縦方向に変化させることを特徴とする請求項１記載の表示補正回路。
【請求項５】
該メモリは、前記所定の階調範囲を指定するデータを含み該画像データの輝度に応じて該画像データの階調を調整するための第３のデータを更に格納し、該画像処理部は該第３のデータに基づいて該画像データの階調を調整することを特徴とする請求項１記載の表示補正回路。
【請求項６】
該画像処理部は、
該画像データの階調を調整するために該第１のデータと該第２のデータとに基づいて演算を実行する第１の回路と、        
該画像データの階調を調整するために該第３のデータに基づいて演算を実行する第２の回路
を含み、該第２の回路は複数色に対してそれぞれ別個に設けられ、該第１の回路は該複数色に対して共通に１つだけ設けられることを特徴とする請求項５記載の表示補正回路。
【請求項７】
該画像処理部は、表示領域の少なくとも一部において該画像データの階調を９ビット以上で表現して階調を調整することを特徴とする請求項１記載の表示補正回路。
【請求項８】
９ビット以上の該画像データを８ビット以下の画像データに変換して且つフレーム変調するフレーム変調部を更に含むことを特徴とする請求項１記載の表示補正回路。
【請求項９】
表示画面上における矩形領域の大きさ及び位置を指定する第１のデータと該矩形領域の周辺部の階調変化を横方向及び縦方向に等方的に指定する第２のデータとを格納するメモリと、
該メモリに格納される該第１のデータと該第２のデータとに基づいて画像データの階調を調整する画像処理部と、
該画像処理部から出力される階調が調整された該画像データを表示する表示部
を含み、
該第１のデータは、該矩形領域の１つのコーナーを指定するデータと、該矩形領域の該１つのコーナーと対向するコーナーを指定するデータを含み、
前記画像処理部は、所定の階調範囲の中間調について均一の値であり前記範囲から離れるに従い減少する第１の補正値と前記矩形領域内では均一の値であり前記周辺部において徐々に減少する第２の補正値との積を、入力階調値に加算することを特徴とする表示装置。
【発明の詳細な説明】
【技術分野】
【０００１】
本発明は、一般に表示補正回路及び表示装置に関し、詳しくは表示装置の特性により発生するムラを補正する表示補正回路及び表示装置に関する。
【背景技術】
【０００２】
液晶表示装置やプラズマディスプレイ装置等においては、画面上の表示輝度が局所的に所望の輝度よりも暗くなったり明るくなったりすることで、画面上にムラが発生することがある。このようなムラは、例えば液晶表示装置においては液晶表示セルの厚さのばらつき、電極パターンの太さのばらつき等に起因する。
【０００３】
円形ムラは、画面上で円形状のムラが発生するものであり、局所的に周囲と異なるセル厚（周囲よりも薄い又は厚い）、ＴＦＴの特性の局所的な異常、電極パターン寸法の局所的な異常、配向膜ピンホールの存在、汚染異物の混入等の原因による。また帯状ムラは、画面上で帯状のムラが発生するものであり、電極パターン寸法のムラ、ＢＭパターン寸法のムラ、配向膜の塗布ムラ等に起因する。額縁ムラは、画面の周辺部に額縁のように発生するムラであり、セル厚が表示領域周辺部で異なること等に起因する。またスジムラは、画面上でスジのように現れるムラであり、バスライン単位で生じるＴＦＴの特性異常等に起因する。更にショットムラは、画面上で例えば矩形状のムラとして現れるものであり、ステッパ露光する際の領域間のムラや線幅や位置ずれ等に起因する。
【０００４】
上記以外に、形状を言葉では表現し難い不定形状のムラも存在する。しかし殆どの場合は、円、帯、四角、線、周辺部等の定型の領域としてムラが発生する。製造された液晶表示装置のムラの濃さが規格外になると、通常は、これらの液晶表示装置は不良品として取り扱われる。
【０００５】
ムラを回路により低減させる方法としては、ムラの形状情報と濃さとをマップ情報としてメモリに保持し、この情報に基づいて液晶表示装置を駆動制御することでムラを補正するものがある（特許文献１）。また、中心座標を指定し更に中心から４方向への広がりを指定することで、近似によって補正値を求める方法も提案されている（特開平１１−１１３０１９号公報）。
【特許文献１】特開平９−３１８９２９号公報
【特許文献２】特開平１１−１１３０１９号公報
【特許文献３】特開平０２−１０８０９６号公報
【発明の開示】
【発明が解決しようとする課題】
【０００６】
上記特許文献１の場合、ムラの領域が大きくなるとデータが膨大になり現実的でない。例えばＸＧＡ（１０２４×７６８）において表示領域全体の１／１０にムラが発生した場合、２５５階調で全て±８階調の補正マップ情報を保持するためには、約１Ｇｂｉｔ （１０２４×７６８×３／１０×８×２×２５６）の大容量メモリが必要となってしまう。
【０００７】
一方特許文献２では、中心座標と４方向への広がりの情報に基づいて、演算により補正データを作成することでムラを消去することができる。しかしながら、現実には中心から各方向への広がりにおいて補正のための関数を指定する必要が有り、実際に必要なパラメータ数が多くなるという問題がある。またこの手法では円又は楕円のようなムラを無くすことは可能であるが、帯状ムラや額縁ムラ、スジムラ、ショットムラ等の円形ではないムラを消去することはできないという問題点があった。
【０００８】
またムラの端部等の極めて薄いムラ部分は、８ビット程度のデータでは適切に表現することができず、８ビットデータで補正しても端部に階調の段差が発生してしまうことが本願発明者の調査により判明している。通常使用される液晶表示装置等の階調は８ビット（２５６階調）が一般的であり、ノート用等では６ビット階調のものすら存在する。しかし上記従来技術においては、補正部分の階調表現の細かさについては何ら考慮していない。
【０００９】
また更に、ムラを消去するための補正回路を付加することは、制御用ＩＣのコスト増加につながるという問題がある。従って、補正回路のサイズをできる限り小さくすることが必要になる。また、実際にムラが発生する割合は全体の生産量からすると僅かなものであり、例えば全体の生産量のうちの０．０１％〜１％が不良品になるに過ぎない。例えば５０円のコスト増加で０．１％の不良品を救済する場合、良品も全て５０円のコスト増になることを考慮すると、不良品破棄による損失が５０，０００円を超えていなければ全体としては採算が取れない。
【００１０】
以上を鑑みて、本発明は、少ない補正用データ及び単純な回路構成でムラを低減することが可能な表示補正回路及び表示装置を提供することを目的とする。
【００１１】
また本発明は、濃度の薄い部分であっても適切にムラを低減することが可能な表示補正回路及び表示装置を提供することを目的とする。
【課題を解決するための手段】
【００１２】
本発明による表示補正回路は、表示画面上における矩形領域の大きさ及び位置を指定する第１のデータと該矩形領域の周辺部の階調変化を横方向及び縦方向に等方的に指定する第２のデータとを格納するメモリと、該メモリに格納される該第１のデータと該第２のデータとに基づいて画像データの階調を調整する画像処理部を含み、該第１のデータは、該矩形領域の１つのコーナーを指定するデータと、該矩形領域の該１つのコーナーと対向するコーナーを指定するデータを含み、前記画像処理部は、所定の階調範囲の中間調について均一の値であり前記範囲から離れるに従い減少する第１の補正値と前記矩形領域内では均一の値であり前記周辺部において徐々に減少する第２の補正値との積を、入力階調値に加算することを特徴とする。
【００１３】
また本発明による表示装置は、表示画面上における矩形領域の大きさ及び位置を指定する第１のデータと該矩形領域の周辺部の階調変化を横方向及び縦方向に等方的に指定する第２のデータとを格納するメモリと、該メモリに格納される該第１のデータと該第２のデータとに基づいて画像データの階調を調整する画像処理部と、該画像処理部から出力される階調が調整された該画像データを表示する表示部を含み、該第１のデータは、該矩形領域の１つのコーナーを指定するデータと、該矩形領域の該１つのコーナーと対向するコーナーを指定するデータを含み、前記画像処理部は、所定の階調範囲の中間調について均一の値であり前記範囲から離れるに従い減少する第１の補正値と前記矩形領域内では均一の値であり前記周辺部において徐々に減少する第２の補正値との積を、入力階調値に加算することを特徴とする。
【００１４】
本発明のある形態によれば、該画像処理部は、表示領域の少なくとも一部において該画像データの階調を９ビット以上で表現して階調を調整することを特徴とする。
【発明の効果】
【００１５】
上記表示補正装置及び表示装置においては、矩形領域の大きさ及び位置を指定する第１のデータと該矩形領域の周辺部の階調変化を横方向及び縦方向に等方的に指定する第２のデータとに基づいてムラを補正するので、補正のためのデータサイズが小さく、また単純な演算を実行するための小規模の回路を設ければよい。
【００１６】
また補正領域中央の矩形領域を小さくすることにより矩形領域を点に近づけることができ、極限においては矩形領域を点とすることができる。この場合、中心点周りで周辺に向かい徐々に効果が小さくなるような補正となる。従って、円形ムラを適切に補正することができる。また有限の矩形領域を指定して更に周辺領域の幅をゼロとすれば、矩形の補正領域を実現できる。従って、ショットムラを適切に補正することができる。また矩形の補正領域の幅を１ライン程度に設定することで、スジムラを適切に補正することができる。また更に、画面のエッジから対向するエッジまでを指定することにより、帯状ムラを補正することができる。
【００１７】
また補正処理における階調を５１２階調（９ビット）とすることで、細かな輝度表現が可能となり、濃度の薄い部分であっても適切にムラを低減することができる。
【発明を実施するための最良の形態】
【００１８】
以下に、本発明の実施例を添付の図面を用いて詳細に説明する。
【００１９】
図１は、本発明による液晶表示装置の構成の一例を示す図である。なお図１では液晶表示装置を一例として説明するが、本発明はプラズマディスプレイ等の他の表示装置に対しても同様に適用可能なものである。
【００２０】
図１の液晶表示装置１０は、画像処理装置１１、メモリ１２、信号源１３、及び液晶パネル１４を含む。メモリ１２には、ムラ補正のための所定の補正データが格納される。信号源１３は、液晶表示する対象である画像データ信号を供給する。画像処理装置１１は、信号源１３から供給される画像データ信号を、メモリ１２から供給される補正データに基づいて補正することにより、画像データ信号の階調を調整する。画像処理装置１１は、階調が調整された画像データ信号を液晶パネル１４に供給する。画像データ信号の階調は、液晶パネル１４に固有の表示ムラを低減するように調整されており、これによりムラの低減された画像表示が可能となる。
【００２１】
画像処理装置１１は、補正データ格納部２１、補正処理部２２、及びＦＩＦＯ２３を含む。補正データ格納部２１は、メモリ２１から供給される補正データを格納し、補正処理部２２に供給する。ＦＩＦＯ２３は、信号源１３からの画像データ信号を受け取り一定数のデータ（例えば１フレーム分の表示データ）を格納し、データを受け取った順番に画像処理装置１１に供給する。補正処理部２２は、ＦＩＦＯ２３から供給される画像データ信号を、補正データ格納部２１から供給される補正データに基づいて補正することにより、画像データ信号の階調を調整する。
【００２２】
図２は、本発明による階調ムラを補正するための補正データを示す図である。
【００２３】
図２に示すように、本発明では、補正領域を矩形領域の左上コーナー（ｘ１，ｙ１）と右下コーナー（ｘ２，ｙ２）の２点により指定する。この２点によって定まる矩形領域内では、例えば均一の補正値ｋとする。この補正値は階調を変位させる量である。矩形領域の外側に幅ｗ１の周辺領域を指定し、この周辺領域において徐々に補正値を小さくする。即ち補正値は矩形領域の端でｋであり、周辺領域において徐々に減少し、最終的に矩形領域の端から距離ｗ１の位置においてゼロとなる。即ち、この位置において周囲との階調差は無くなる。
【００２４】
図３は、補正値（階調変位値）の位置による変化を示す図である。
【００２５】
図３において、階調変位値がｋであるフラットな部分が、図２における矩形領域に対応する。図３の例では、幅ｗ１で指定される周辺領域において、階調変位値はｋからゼロまで直線的に減少する。このように本実施例では幅ｗ１だけを指定することにより、矩形領域周辺部の階調変化をｘ方向及びｙ方向に対して等方的に規定するので、補正データのサイズが小さいという特徴がある。
【００２６】
図４は、入力される表示対象の画像データの階調に対する階調変位値の大きさの一例を示す図である。
【００２７】
ムラは一般に、表示対象のデータが中間調であるときに顕著に現れる。即ち、表示データが黒に近い場合（データが０に近い場合）又は白に近い場合（２５６階調でデータが２５５に近い場合）には、ムラを補正する必要が無い。図４の例では、このようなムラの特性を考慮して、階調ｇ１から階調ｇ２まで範囲にある中間調について補正値をｋとし、その範囲から離れるに従い補正値を減少させるように設定している。具体的には、上記範囲の上下に幅ｗ２の範囲を設定し、この幅ｗ２の範囲において補正値がｋからゼロまで直線的に減少するように設定している。
【００２８】
図５は、本発明による補正処理のアルゴリズムの一例を示す図である。
【００２９】
図５（ａ）に示すように、まず階調変位値を入力階調により調整する。具体的には、まず入力階調ｇｓがｇ１−ｗ２より小さければ補正値をゼロに設定する。それ以外の場合においてｇｓがｇ１より小さければ、補正値をｋ×（ｇｓ−ｇ１＋ｗ２）／ｗ２に設定する。これにより階調が増加するにつれ直線的に増加する補正値を得ることができる。また入力階調ｇｓがｇ２＋ｗ２より大きければ補正値をゼロに設定する。それ以外の場合においてｇｓがｇ２より大きければ、補正値をｋ×（ｗ２＋ｇ２−ｇｓ）／ｗ２に設定する。これにより階調が増加するにつれ直線的に減少する補正値を得ることができる。それ以外の領域においては、補正値をｋに設定する。
【００３０】
図５（ｂ）においては、階調変位値を位置により調整する。具体的には、まず入力表示データの画素位置ｘがｘ１−ｗ１より小さければ補正値をゼロに設定する。それ以外の場合においてｘがｘ１より小さければ、補正値をｋ×（ｘ−ｘ１＋ｗ１）／ｗ１に設定する。なおこの場合、ｋは上記の図５（ａ）において補正値を入力階調により調整した後の値である。これにより矩形領域の周辺領域において直線的に増加する補正値を得ることができる。また入力表示データの画素位置ｘがｘ２＋ｗ１より大きければ補正値をゼロに設定する。それ以外の場合においてｘがｘ２より大きければ、補正値をｋ×（ｗ１＋ｘ２−ｘ）／ｗ１に設定する。これにより矩形領域の周辺領域において直線的に減少する補正値を得ることができる。それ以外の領域においては、補正値をｋのままとする。またｙ方向についても同様の補正値の調整を実行する。
【００３１】
最後に、図５（ｃ）に示すように、入力階調値Input Gray Scaleに上記のようにして求めた補正値ｋを加算することで、出力階調値Output Gray Scaleを求める。
【００３２】
上記実施例の場合、補正領域中央の矩形領域を小さくすることにより矩形領域を点に近づけることができる。極限においては左上コーナー（ｘ１，ｙ１）と右下コーナー（ｘ２，ｙ２）の２点を同一とすることで、矩形領域を点とすることができる。この場合、ｗ１の半径内で周辺に向かい徐々に効果が小さくなるような補正となる。従って、従来技術の説明で述べたような円形ムラを適切に補正することができる。
【００３３】
また左上コーナー（ｘ１，ｙ１）と右下コーナー（ｘ２，ｙ２）とを互いに離れた点として矩形領域を指定し、更に周辺領域の幅ｗ１をゼロとすれば、矩形の補正領域を実現できる。従って、従来技術の説明で述べたようなショットムラを適切に補正することができる。また矩形の補正領域の幅を１ライン程度に設定することで、スジムラを適切に補正することができる。また更に、画面のエッジから対向するエッジまでを指定することにより、帯状ムラを補正することができる。
【００３４】
図６は、ＳＸＧＡパネルの補正データの実際の例を示す図である。ＳＸＧＡは１２８０×７６８画素からなり、画像データが８ビットからなる場合のパネルの補正に関するデータを図４に示している。図６から分かるように同じ丸ムラ（円形ムラ）であっても、黒いムラ（周囲よりも暗いムラ）の場合には補正値ｋは正であり、白いムラ（周囲よりも明るいムラ）の場合には補正値ｋは負となる。
【００３５】
図７は、図１の画像処理装置１１の構成の一例を更に詳細に示す図である。
【００３６】
図７に示されるように、画像処理装置１１は、補正データ格納部２１、ＦＩＦＯ２３、形状補正処理部３１、階調補正処理部３２、積算補正処理部３３、及び加減算処理部３４を含む。
【００３７】
図７において、画像処理装置１１は例えばＡＳＩＣにより構成される。形状補正処理部３１により表示座標に応じた補正係数を演算し、同時に階調補正処理部３２により入力信号階調に応じた補正係数を演算する。形状補正処理部３１により求まる補正係数と階調補正処理部３２により求まる補正係数とを、積算補正処理部３３により積算することで補正値（階調変位値）を計算する。前述の図５のプログラムにおいては、（ａ）で入力階調に応じた階調変位値を求めた後に、（ｂ）で画素位置（表示座標）に応じた階調変位値を積算形式（ｋ＝入力階調に応じて求めたｋ×表示位置に応じて求めた係数）という形で求めている。図７においては、入力階調に応じた補正係数と表示位置に応じた補正係数を並行して求め、これらを積算することにより同様の演算を実行している。
【００３８】
加減算処理部３４は、上記のようにして求めた補正値を、ＦＩＦＯ２３より読み出された画像データ信号に加算する。これにより、入力表示信号に対する表示ムラの補正を実行する。またメモリ１２に格納されている補正データを、補正データ格納部２１に一旦格納してから形状補正処理部３１及び階調補正処理部３２へ供給することで、円、帯、四角、線、周辺部等の任意の表示ムラに対応することができる。
【００３９】
なお図７において、階調補正処理部３２、積算補正処理部３３、及び加減算処理部３４からなる処理部３６とは分離した形で、形状補正処理部３１を設けるように構成してよい。このような構成として、処理部３６をＲＧＢの各色毎に３つ設け、形状補正処理部３１についてはＲＧＢの３色に共通の単一のものとする。これにより、回路規模を必要最小限に低減することができる。通常、単一の原因により発生するムラにおいて、ＲＧＢの各色の濃さが違うことはあり得るが、ムラの形状が異なることは殆どあり得ない。従って、上記のように形状についての補正係数の計算部分を分離して、各色に共通の構成とすることが可能となる。
【００４０】
図８は、本発明による補正処理のアルゴリズムの別の一例を示す図である。
【００４１】
図５のアルゴリズムでは、簡単な線形演算をロジック回路により実行することで、入力データの階調値に応じて補正値を調整することができる。しかしムラの種類によっては特定の階調で濃くなったり薄くなったりするために、直線近似では表現できないものが存在する。また回路で近似演算をしようとすると積算が多用されることになるが、積算はデータのビット幅が激増するために、回路サイズに与える影響が大きい。
【００４２】
図８に示す実施例では、入力階調に応じた補正値の演算は行わずに、メモリに格納されたルックアップテーブル４０から補正値を読み込んでいる（図８（ａ）におけるｆ（ｇｓ））。なおルックアップテーブル４０のデータは、階調に対応した１次元データであり、データサイズが小さく回路サイズが問題となることはない。またムラの特性に合わせて自由に設定できるという利点がある。なお図８（ｂ）及び（ｃ）に示すアルゴリズムは図５（ｂ）及び（ｃ）に示すものと同様である。
【００４３】
図９は、本発明による補正処理のアルゴリズムの更に別の一例を示す図である。
【００４４】
図９においては、（ｂ）に示されるように、表示位置に応じた補正値についてもルックアップテーブル４１からデータを取得する。図９（ｂ）において、ｆ（ｘ）がｘ方向の位置に応じてルックアップテーブル４１からデータを取得し、ｆ（ｙ）がｙ方向の位置に応じてルックアップテーブル４１からデータを取得する。このように本実施例ではルックアップテーブル４１だけを指定することにより、矩形領域周辺部の階調変化をｘ方向及びｙ方向に対して等方的に規定するので、補正データのサイズが小さいという特徴がある。
【００４５】
このような方式とすることで、ロジック回路の大きさを更に減少させることができる。またムラの端部分の階調傾斜を、直線的近似による補正値では無く任意の補正値で調整できるので、端部分の輝度分布が単調ではないムラについても補正が可能になる。但し図９に示すアルゴリズムの例の場合、矩形領域のコーナー外側における周辺領域は円形ではなく、コーナーを斜めにカットする直線になる。従って円形ムラを消すための補正領域は円形ではなく８角形になってしまう。しかしながらムラが薄い場合には、８角形と円形との際は見かけ上大きな問題とはならない。コーナー部を直線ではなく円などの滑らかなカーブとするためには、コーナー部についてのみ、縦横双方の座標に基づく補正データをルックアップテーブルに格納してよい。
【００４６】
図１０は、補正値（階調変位値）の位置による変化の別の一例を示す図である。図１１は、図１０に示す補正値設定の場合の入力階調に対する階調変位値の変化の一例を示す図である。
【００４７】
図１０及び図１１は図３及び図４に対応する図である。図３では、幅ｗ１で指定される周辺領域の外側において、階調変位値はゼロであった。これに対して図１０では、補正領域以外の領域が補正値０では無く、任意に設定した補正値ｋ２をとるよう設定される。なお矩形領域内部では、補正値はｋ１として示してある。例えば従来技術の説明で述べた額縁ムラにおいて、パネルの中央部は輝度が正常で周辺部の輝度が異常である場合、ｋ１を０としｋ２を周辺部の補正値に設定することで、額縁ムラを低減することができる。ｋ２＝０とすれば図３の実施例の場合と動作は全く同じであるので、図１０及び図１１に示す方式により、代表的なムラは全て補正できることになる。
【００４８】
図１２は、図１０及び図１１の場合の本発明による補正処理のアルゴリズムの一例を示す図である。
【００４９】
図１２（ａ）に示すように、まず階調変位値を入力階調により調整する。具体的には、まず入力階調ｇｓがｇ１−ｗ２より小さければ補正係数ｋ１をゼロに設定する。それ以外の場合においてｇｓがｇ１より小さければ、補正係数ｋ１をｋ１×（ｇｓ−ｇ１＋ｗ２）／ｗ２に設定する。これにより階調が増加するにつれ直線的に増加する補正値を得ることができる。また入力階調ｇｓがｇ２＋ｗ２より大きければ補正係数ｋ１をゼロに設定する。それ以外の場合においてｇｓがｇ２より大きければ、補正係数ｋ１をｋ１×（ｗ２＋ｇ２−ｇｓ）／ｗ２に設定する。これにより階調が増加するにつれ直線的に減少する補正値を得ることができる。それ以外の領域においては、補正係数ｋ１はｋ１のままである。
【００５０】
図１２（ｂ）においては、階調変位値を位置により調整する。具体的には、まず補正値ｋをｋ１−ｋ２に設定する。入力表示データの画素位置ｘがｘ１−ｗ１より小さければ補正値ｋをｋ２に設定する。それ以外の場合においてｘがｘ１より小さければ、補正値をｋ×（ｘ−ｘ１＋ｗ１）／ｗ１＋ｋ２に設定する。これにより矩形領域の周辺領域において直線的に増加する補正値を得ることができる。また入力表示データの画素位置ｘがｘ２＋ｗ１より大きければ補正値ｋをｋ２に設定する。それ以外の場合においてｘがｘ２より大きければ、補正値ｋをｋ×（ｗ１＋ｘ２−ｘ）／ｗ１＋ｋ２に設定する。これにより矩形領域の周辺領域において直線的に減少する補正値を得ることができる。それ以外の領域においては、補正値ｋをｋ＋ｋ２即ちｋ１に設定する。またｙ方向についても同様の補正値の調整を実行する。
【００５１】
最後に、図１２（ｃ）に示すように、入力階調値Input Gray Scaleに上記のようにして求めた補正値ｋを加算することで、出力階調値Output Gray Scaleを求める。
【００５２】
以上の説明においては、補正部分の階調の細かさについては無視したが、階調の細かさはムラを補正するにあたっての重要な要素である。一般的な駆動ＩＣは、出力が８ビットであり２５６階調を表現する。またノート型の機種では６ビットにより６４階調を表現するものもある。
【００５３】
図１３は、理想的な補正値に対する階調度の影響について説明するための図である。
【００５４】
例えば２５６階調のうちの２階調程度の濃さを有するムラの場合、８ビット表現で補正すると、図１３に実線で示すように２段の大きなステップ状の補正値変化となる。この場合、理想的な補正値との乖離が大きいために、実際の表示においてムラの端部に階段状のアーティファクトが現れてしまう。これに対して１０ビット表現で補正する場合には、図１３に二重線で示すように理想的な補正値との乖離が少なく、階段状のアーティファクトが現れることは無い。実験の結果では、ムラを適切に補正するためには少なくとも９ビットの細かさが必要であることが判明した。
【００５５】
ムラを適切に補正するためには９ビット或いはそれ以上のビット数の出力ドライバＩＣを使用すればよいが、このような構成とするとドライバＩＣのコスト増につながってしまう。従って、８ビット（又は６ビット）のドライバＩＣのままで、ムラを適切に補正する構成が必要となる。
【００５６】
図１４は、大きなビット数で補正を行いフレーム変調によりビット数を削減する構成を示す図である。図１４において、図１と同一の構成要素は同一の番号で参照する。
【００５７】
図１４の液晶表示装置１０Ａは、画像処理装置１１Ａ、メモリ１２Ａ、信号源１３、フレーム変調部（ＦＲＣ）５０、及び液晶パネル１４を含む。画像処理装置１１Ａは、補正データ格納部２１Ａ、補正処理部２２Ａ、及びＦＩＦＯ２３を含む。
【００５８】
メモリ１２Ａには、ムラ補正のための所定の補正データが１０ビット対応のデータとして格納される。信号源１３は、液晶表示する対象である８ビットの画像データ信号を供給する。画像処理装置１１Ａの補正処理部２２Ａは、信号源１３からＦＩＦＯ２３を介して供給される８ビットの画像データ信号を１０ビットのデータに変換し、メモリ１２Ａから補正データ格納部２１Ａを介して供給される補正データに基づいて補正することにより、１０ビットの画像データ信号の階調を調整する。画像処理装置１１Ａは、階調が調整された１０ビットの画像データ信号をフレーム変調部５０に供給する。フレーム変調部５０は、１０ビットの画像データを８ビットの画像データに変換すると共に、１０ビットの画像データの１０２４階調をフレーム変調により８ビットの画像データにより表現する。フレーム変調された８ビットの画像データは、液晶パネル１４に供給されて、表示ムラの低減された画像が表示される。
【００５９】
なお上記の階調調整（補正）における１０ビット演算は、画像表示領域のうちで補正対象である少なくとも一部の領域に対してだけ実行し、残りの領域は８ビットのままであるとする構成としてもよい。
【００６０】
上記実施例の構成は液晶表示装置を例として説明したが、ムラは各種の表示装置において発生するものであり、ムラが問題となるような全ての表示装置に対して本発明を適用することが可能である。
【００６１】
以上、本発明を実施例に基づいて説明したが、本発明は上記実施例に限定されるものではなく、特許請求の範囲に記載の範囲内で様々な変形が可能である。
【図面の簡単な説明】
【００６２】
【図１】本発明による液晶表示装置の構成の一例を示す図である。
【図２】本発明による階調ムラを補正するための補正データを示す図である。
【図３】補正値（階調変位値）の位置による変化を示す図である。
【図４】入力される表示対象の画像データの階調に対する階調変位値の大きさの一例を示す図である。
【図５】本発明による補正処理のアルゴリズムの一例を示す図である。
【図６】ＳＸＧＡパネルの補正データの実際の例を示す図である。
【図７】図１の画像処理装置の構成の一例を更に詳細に示す図である。
【図８】本発明による補正処理のアルゴリズムの別の一例を示す図である。
【図９】本発明による補正処理のアルゴリズムの更に別の一例を示す図である。
【図１０】補正値（階調変位値）の位置による変化の別の一例を示す図である。
【図１１】図１０に示す補正値設定の場合の入力階調に対する階調変位値の変化の一例を示す図である。
【図１２】図１０及び図１１の場合の本発明による補正処理のアルゴリズムの一例を示す図である。
【図１３】理想的な補正値に対する階調度の影響について説明するための図である。
【図１４】大きなビット数で補正を行いフレーム変調によりビット数を削減する構成を示す図である。
【符号の説明】
【００６３】
１１  画像処理装置
１２  メモリ
１３  信号源
１４  液晶パネル
２１  補正データ格納部
２２  補正処理部
２３  ＦＩＦＯ
【図１】
0004617076.tif 000002
【図２】
0004617076.tif 000003
【図３】
0004617076.tif 000004
【図４】
0004617076.tif 000005
【図５】
0004617076.tif 000006
【図６】
0004617076.tif 000007
【図７】
0004617076.tif 000008
【図８】
0004617076.tif 000009
【図９】
0004617076.tif 000010
【図１０】
0004617076.tif 000011
【図１１】
0004617076.tif 000012
【図１２】
0004617076.tif 000013
【図１３】
0004617076.tif 000014
【図１４】
0004617076.tif 000015